(57)【特許請求の範囲】
【請求項１】
利用者側の第２の通信機器との無線通信のペアリングを実施し、前記第２の通信機器から無線通信にて情報を受信することが可能な情報取得手段と、前記ペアリングの実施の度に、前記第２の通信機器との無線通信に先立って、前記ペアリングごとに固有のコードを生成し、前記生成されたペアリングごとに固有のコードを表示装置に表示させる発行手段と、前記情報取得手段にて取得した情報を記録する記録手段と、前記記録手段に記録した情報を読み出して、所望の送信先に前記情報を送信する第１の通信手段と、前記第１の通信手段が前記情報を送信した結果の情報を利用者側の第１の通信機器に送信する第２の通信手段と、を備え、
前記情報取得手段は、それまで無線通信を行っていなかった前記第２の通信機器において入力手段を操作して入力された後に前記第２の通信機器から送信されたコードと、前記発行手段の生成したコードとが一致する場合、前記第２の通信機器との無線通信のペアリングを実施し、前記第２の通信機器から前記第１の通信機器に送信する情報を受信することを特徴とする通信端末装置。
【請求項２】
前記情報取得手段は記録媒体から情報を取得することを特徴とする請求項１の通信端末装置。
【請求項３】
前記利用者側の第１の通信機器及び第２の通信機器は、同一の通信機器であることを特徴とする請求項１又は２の通信端末装置。
【請求項４】
前記第１の通信手段が前記情報を送信した結果の情報を送信する利用者側の第１の通信機器のアドレス情報を、前記第２の通信機器から自動で取得する手段を備えたことを特徴とする請求項１乃至３のいずれか１に記載の通信端末装置。
【請求項５】
前記第２の通信手段が送信する結果の情報は、音声の情報であることを特徴とする請求項１乃至４のいずれか１に記載の通信端末装置。
【請求項６】
利用料金の投入の有無を判断する料金投入判断手段と、前記発行手段の生成したコードを表示する表示手段と、をさらに備え、前記発行手段は、前記料金投入判断手段が前記利用料金の投入があったと判断した場合に前記コードを生成する請求項１乃至５のいずれか１に記載の通信端末装置。
【発明の詳細な説明】
【０００１】
【発明の属する技術分野】
本発明は、通信端末装置に係り、特に通信機器間で情報を送信する際に情報を中継する通信端末装置に関する。
【０００２】
【従来の技術】
無線通信端末から無線通信網を介してファクシミリを送信する場合に、有線通信回線に較べてコストが高く通信速度の遅い無線通信回線上を流れるデータ量を削減することにより、通信時間の削減およびコストの削減を行うことが可能な画像通信システムが特開平７−２２１９６６号の公報に示されている。
【０００３】
また、少ないメモリ容量の携帯端末を用いても、多くのディジタル画像情報を取得可能であり、後にそれらの画像情報を簡単にアクセスして手元に転送することができるディジタル画像情報蓄積システム及びその方法が特開平１０−１４９３０９号の公報に示されている。
【０００４】
【発明が解決しようとする課題】
しかしながら、特開平７−２２１９６６号の公報に示されている画像通信システムは、大容量の画像データの通信コストを削減するために、低額の通信網からデータを送信するための中継転送を行うだけのものである。
【０００５】
また、特開平１０−１４９３０９号の公報に示されているディジタル画像情報蓄積システム及びその方法を用いると、携帯端末のデータを高速に設置端末に転送し、該転送したデータを設置端末に一時保管してから通信回線へ送信を行うことによって、携帯端末の利用者は設置端末の前で送信が完了するまで待つ必要はないという利点を生じる。
【０００６】
しかし、いずれの方法を用いても、設置端末に一時保管されたデータが確実に送信されたか否かについては、利用者が容易に確認することができないという不具合を生じていた。
【０００７】
本発明は、このような事情に鑑みてなされたもので、画像データ等の大量の情報を安価にて他の通信機器に送信する際に通信端末装置を中継して他の通信機器に送信するとともに、通信端末に一時保管されたデータが確実に送信されたか否かについて利用者に通知することが可能な通信端末装置を提供することを目的としている。
【０００８】
【課題を解決するための手段】
本発明は前記目的を達成するために、利用者側が所有する情報を取り込む情報取得手段と、前記情報取得手段にて取得した情報を記録する記録手段と、前記記録手段に記録した情報を読み出して利用者所望の送信先に前記情報を送信する第１の通信手段と、前記第１の通信手段が前記情報を送信した結果の情報を利用者側の第１の通信機器に送信する第２の通信手段とを備えたことを特徴としている。
【０００９】
本発明によれば、利用者側が所有する情報を取り込む情報取得手段と、情報取得手段にて取得した情報を記録する記録手段と、記録手段に記録した情報を読み出して利用者所望の送信先に前記情報を送信する第１の通信手段と、第１の通信手段が前記情報を送信した結果情報を利用者側の第１の通信機器に送信する第２の通信手段とを備えたので、送信すべき情報が確実に送信されたか否かを利用者に通知することが可能となる。
【００１０】
【発明の実施の形態】
以下添付図面に従って、本発明に係る通信端末装置の好ましい実施の形態について詳説する。
【００１１】
図１に、本発明に係る通信端末装置の外観を示す。
【００１２】
同図によれば、情報を中継する設置端末１０（通信端末装置）には、携帯端末１２と無線で通信することが可能なアンテナ１４と、該設置端末１０の有料の機能を利用する際に利用料金を投入する料金挿入口１６と、通信状況や画像及び通信にて接続されている携帯端末１２等の情報を利用者に通知する表示手段の機能を有するとともに利用者が情報を入力する入力手段の機能を備えたタッチパネル１８と、画像情報や画像ファイルの送信完了情報等を他の通信機器に対して送受信することが可能な通信回線とが設けられている。
【００１３】
図２に設置端末１０の情報処理系のブロック図を示す。
【００１４】
同図によれば設置端末１０には、設置端末１０の全体の制御を行う情報処理手段２２と、情報処理手段２２を動作させるプログラムや各種定数等が書き込まれているＲＯＭと情報処理手段２２が処理を実行する際の作業領域となるＲＡＭとから構成されるシステムメモリ２４と、タッチパネル１８に表示する情報を情報処理手段２２から受信して表示用の情報に変換して出力する表示コントローラ２６と、タッチパネル１８を用いて利用者が入力した情報を変換して情報処理手段２２に伝達する入力コントローラ２８とが設けられている。
【００１５】
また、設置端末１０には、料金挿入口を備え、挿入された金銭の処理及びお釣り等の排出を制御するコインマシン３０と、挿入された金額情報を情報処理手段２２に伝達するとともに情報処理手段２２から釣り銭情報を受信してコインマシン３０に出力するコインマシン制御手段３２と、携帯端末１２から受信した画像等の情報や画像ファイルの送信完了情報等を一時的にストレージすることが可能な記録手段３４とが設けられている。
【００１６】
設置端末１０が、利用者側の第２の通信機器と情報の送受信を行う第３の通信手段（情報取得手段の一形態）として、利用者が携行している携帯端末１２と情報の送受信を行うアンテナ１４に搬送波及び送信信号を出力するとともに携帯端末１２からアンテナ１４が受信した情報を情報処理手段２２に伝達する無線インターフェース３６が設けられている。
【００１７】
また、設置端末１０が、利用者側が所有する情報を取り込む情報取得手段として、前記第３の無線の通信手段を用いる代わりに有線の通信手段を用いてもよいし、利用者が所有する情報が記録されたフロッピーディスクやメモリーカード等の記録媒体を設置端末１０に装着して、情報取得手段として機能する情報処理手段２２が記録媒体から情報を取得するようにしてもよい。
【００１８】
また、設置端末１０が、情報の送信先となる利用者所望の通信機器と情報の送受信を行う第１の通信手段及び、利用者側の第１の通信機器と情報の送受信を行う第２の通信手段として、公衆回線やインターネット等の通信ネットワークと接続されている通信回線２０を介して情報の送受信を行う通信回線インターフェース３８が設けられている。なお、前記第１の通信手段、第２の通信手段及び第３の通信手段は、それぞれ独立した通信手段であってもよいし、少なくとも２つは、同一の通信手段であってもよい。
【００１９】
設置端末１０の情報処理手段２２と、システムメモリ２４と、表示コントローラ２６と、入力コントローラ２８と、コインマシン制御手段３２と、記録手段３４と、無線インターフェース３６と、通信回線インターフェース３８とを含む各周辺回路はバス４０で接続されており、情報処理手段２２は各々の周辺回路を制御することが可能となっている。
【００２０】
図３は、利用者側の通信機器の一形態である携帯電話の外観図である。
【００２１】
同図に示すように、携帯端末１２（利用者側の第１及び第２の通信機器）には、公衆回線と無線通信するためのアンテナ４２と、例えば前記設置端末１０と近距離無線通信するためのアンテナ４４と、通信情報や画像４５を表示する表示手段４６と、電話番号、文字、画像、音声のデータの指定・選択及び、前記データの出力先の機器やアドレス等を指定する入力手段４８、４８…と、電話の受話器となるとともに音を出力するスピーカ５０と、音声を入力するマイク５２とから構成されている。
【００２２】
なお、同図に示されている表示手段４６の表示は、画像４５を選択し、設置端末１０を介して他の携帯電話等の通信機器に選択した画像４５を送信する際の表示例を示している。
【００２３】
図４は、携帯端末１２の情報処理部のブロック図である。
【００２４】
同図によれば、携帯端末１２の通信手段は、公衆回線と無線通信するための公衆回線用のアンテナ４２と、公衆回線用の送受信手段５６と、設置端末１０等と近距離における無線通信を実施するためのアンテナ４４と、近距離用の送受信手段５８と、リアルタイムにて送受信するデータを一時的に蓄えておく各通信手段用の送受信バッファ６０、６２とから構成されている。
【００２５】
また、携帯端末１２には、携帯端末１２全体の制御を司る情報処理手段６４（ＣＰＵ）と、情報処理手段６４が処理を実行する際の作業領域となる記憶手段であるメモリ６６と、情報処理手段６４を動作させるプログラムや各種定数、電話番号、通信先のメールアドレス、画像データ等が書き込まれている不揮発性メモリ６８と、時を刻むカレンダ時計７０と、入力手段４８から入力された各種の入力情報を情報処理手段６４に伝達するＩ／Ｏ７２と、情報処理手段６４から受信した表示情報を表示手段４６に対する表示情報に変換して出力するＬＣＤ制御手段７４と、が設けられている。
【００２６】
携帯端末１２の情報処理手段６４と、メモリ６６と、不揮発性メモリ６８と、カレンダ時計７０と、送受信バッファ６０、６２と、Ｉ／Ｏ７２と、ＬＣＤ制御手段７４とを含む各周辺回路はバス７６で接続されており、情報処理手段６４は各々の周辺回路を制御することが可能となっている。
【００２７】
近距離用の通信手段は、電波、超音波、赤外線等の光、を用いた通信手段である。電波を用いる場合には、無線ＬＡＮ（ローカルエリアネットワーク）の仕様に基づいてもよいし、赤外線を用いる場合にはＩｒＤＡの仕様に基づいてもよい。また、近距離用の通信手段を設ける代わりに、メモリーカードやフロッピーディスクなどの記録媒体を介して設置端末１０が情報を得るようにしてもよい。
【００２８】
なお、携帯端末１２は上述のような携帯電話やＰＨＳ等の移動通信体であってもよいし、表示手段、記録手段、通信手段等を備えた機器であれば、電子カメラやパソコン、電子手帳等の通信機器であってもよい。
【００２９】
図５に、情報を中継する設置端末１０と携帯端末１２とを含む各通信回線網の構成を示す。
【００３０】
同図によれば、情報を中継する複数の設置端末１０、１０Ａ、１０Ｂ…とが接続されている通信回線８０と、前記複数の設置端末１０、１０Ａ、１０Ｂ…と携帯端末１２…を管理するために利用者の管理情報及び課金情報等の情報を記録するとともにインターネット８４等の通信回線網と通信を行う手段を備えた設置端末管理手段８２と、インターネット８４等の通信回線網と、複数の携帯端末１２、１２Ａ、１２Ｂ…（利用者側の第１及び第２の通信機器）を管理するために各携帯端末の利用者の管理情報及び課金情報等の情報を記録するとともにインターネット８４等の通信回線網と通信を行う手段を備えた携帯回線キャリア８６と、携帯端末１２、１２Ａ、１２Ｂ…のための無線通信の基地局８８とから構成されている。
【００３１】
設置端末１０と携帯端末１２とは無線通信にて情報を送受信し、各地に設置されている設置端末１０、１０Ａ、１０Ｂ…は、通信回線８０及び設置端末管理手段８２に設けられているゲートウエイを介してインターネット８４に接続される。
【００３２】
一方、各携帯端末１２、１２Ａ、１２Ｂ…は、携帯回線とも接続可能となっており、これは携帯回線のキャリアを通じてインターネット８４とも接続される。従って、設置端末１０、１０Ａ、１０Ｂ…が発信した電子化メールを設置端末管理手段８２及びインターネット８４及び携帯回線のキャリアを経由することによって、特定の携帯端末に送信することが可能となっている。
【００３３】
図６に、設置端末１０と携帯端末１２とが実施する通信処理のフローチャートを示す。
【００３４】
携帯端末１２の設定モードを近距離通信のモードに設定すると、携帯端末１２の情報処理手段２２の処理プログラムはステップＳ１００「通信モード」（以降Ｓ１００のように省略して記載する）の処理ルーチンが呼び出され、次のＳ１０２「ＰＩＮコード入力？」の判断に進む。本実施の形態では、設置端末１０は複数の携帯端末１２と無線による通信が可能となっているので、設置端末１０は利用者が携行している携帯端末１２を特定する必要がある。したがって、設置端末１０は固有のＰＩＮコード（Personal Identification Number）を発番して利用者が読み取り、利用者が携帯端末１２に該ＰＩＮコードを入力し、該入力したＰＩＮコードを設置端末１０が受信して自ら発番したＰＩＮコードと比較して、利用者の携帯端末１２を特定するようにしている。
【００３５】
一方、設置端末１０に於ける最初の状態はＳ２００「コイン挿入待ち表示」である。図７に示す料金投入要求に関する表示をタッチパネル１８に表示するとともに、次のＳ２０２「コイン挿入？」にて利用者がコインを投入するのを待つ処理を行う。ここでコインが投入されると、次のＳ２０４「ＰＩＮコード発番（ＰＩＮ▲１▼）」では、以降で説明するペアリングを実施するためのＰＩＮコードを発番して、次のＳ２０６「ＰＩＮコード表示＆ＰＩＮコード入力要求表示」に進む。
【００３６】
Ｓ２０６では、タッチパネル１８に対して図８に示すＰＩＮコード入力に関する表示を行って、次のＳ２０８「同期化？」の判断に進み、例えば近距離無線通信における周波数ホッピングパターンと時間スロットとにスレーブの通信機器が同期する処理の終了を待つ。
【００３７】
一方携帯端末１２では、Ｓ１０２で利用者によるＰＩＮコードの入力を待っている。利用者が図８に示されているＰＩＮコード「１９３−５１３」を、携帯端末１２の入力手段４８、４８…を操作して入力すると、入力されたＰＩＮコードを「ＰＩＮ▲２▼」として記憶し、次のＳ１０４「同期待ち」の判断に進む。そしてＳ１０４にて、マスターの通信機器である設置端末１０から発せられる信号に対して送受信のタイミングが一致して同期処理が終了すると、次のＳ１０６「接続要求パケット待ち」の判断に進む。
【００３８】
同期処理が終了すると設置端末１０の処理プログラムはＳ２１０「接続要求パケット送出」に進み、前記発番したＰＩＮコード▲１▼を含む接続要求信号を送信して、次のＳ２１２「接続完了／拒否パケット待ち」の処理に進む。ＰＩＮコード▲１▼を含む該接続要求信号をＳ１０６にて受信した携帯端末１２の処理プログラムは、次のＳ１０８「ＰＩＮコード照合ＰＩＮ▲１▼＝ＰＩＮ▲２▼？」の判断に進む。
【００３９】
ここでは、設置端末１０から受信したＰＩＮコード▲１▼と携帯端末１２にて入力されたＰＩＮコード▲２▼とが一致するか否かの判断を行っている。もし、お互いのＰＩＮコードが不一致であると判断した場合には、本携帯端末は設置端末１０に利用料金を支払った実利用者の携帯端末１２ではないと判断して、処理プログラムはＳ１１０「接続拒否パケット送出」に進み、設置端末１０に対して入力されたＰＩＮコード▲２▼を含む接続拒否情報を送信し、Ｓ１１２「終了」に進む。
【００４０】
もし、Ｓ１０２にて入力されたＰＩＮコード▲２▼と、設置端末１０から受信したＰＩＮコード▲１▼とが一致すると判断した場合には、本携帯端末１２は設置端末１０に利用料金を支払った実利用者の携帯端末１２であると判断して、Ｓ１１４「接続要求パケット送出」に進み、設置端末１０に対して入力されたＰＩＮコード▲２▼を含む接続完了パケットを送信し、次のＳ１１６「携帯端末のメールアドレス送信」に進む。
【００４１】
一方、設置端末１０がＳ２１２にて接続拒否パケット又は接続完了パケットを携帯端末１２から受信すると、次のＳ２１４「ＰＩＮコード照合ＰＩＮ１＝ＰＩＮ２？」の判断に進む。
【００４２】
ここでは、携帯端末１２から受信したＰＩＮコード▲２▼と設置端末１０にて発番したＰＩＮコード▲１▼とが等しいか否かの判断を行っている。もし、お互いのＰＩＮコードが不一致であると判断した場合にはＳ２０８の処理に戻り、再び同期化を待つ処理を行う。
【００４３】
また、携帯端末１２から受信したＰＩＮコード▲２▼と設置端末１０にて発番したＰＩＮコード▲１▼とが一致していると判断した場合には、図９に示す接続完了の表示を行うとともに、ペアリングの処理を終了して次のＳ２１６「メールアドレス受信＆一時保存」に進む。Ｓ２１６では、携帯端末１２から受信した携帯端末１２のメールアドレス（画像データ等の情報を送信した結果情報を利用者側の第１の通信機器に送信する際の電話番号等のアドレス情報に相当する）を受信して、例えば設置端末１０の記録手段３４に一時記録する。そして、次のＳ２１８「送り先パケット待ち」の送信先アドレスの受信待ちの判断に進むとともに、タッチパネル１８に図１０に示すような画像データの送信先のアドレス入力を利用者に対して促す。
【００４４】
次に、Ｓ１１８「画像データ送り先入力」にて、利用者が携帯端末１２の入力手段４８、４８…を介して画像データの入力先を入力すると、次のＳ１２０「画像データ送り先送信」にて画像データの送り先のアドレス情報を設置端末１０に送信し、次のＳ１２２「送信画像データ選択」に進む。なお、携帯端末１２にて情報の送信先を入力する代わりに、設置端末１０のタッチパネル１８に設けられている入力手段を用いて情報の送信先を入力するようにしてもよい。
【００４５】
一方、情報の送信先を示す「送り先パケット」をＳ２１８にて受信した設置端末１０は、次のＳ２２０「画像データ送り先受信＆一時保存」に進み、携帯端末１２から受信した情報の送信先を示す情報を、例えば設置端末１０の記録手段３４に一時記録する。そして、次のＳ２２２「データパケット／切断要求パケット待ち」の判断に進むとともに、タッチパネル１８に図１１に示すような送信すべき画像データ等の情報を選択する要求を利用者に対して促す。なお、図１１に示されている「キャンセル」ボタンは、料金を後払いに設定した場合に表示される表示で、「キャンセル」を選択すると情報の送信は中止される。また、申し込みから３０分以内であれば「キャンセル」を有効にするなど、処理を選択するようにしてもよい。携帯端末１２が携帯電話である場合には、画像送信サービスの利用料金を後払いで利用者に請求する方法の一つとして、携帯電話の電話利用料金に画像送信サービスの利用料金を設置端末管理手段８２から携帯回線キャリア８６に対して携帯電話のＩＤ番号と課金情報を通知して加算する方法が考えられる。この方法を採用すると、万一画像データが設置端末１０から利用者所望の送信先に送信されなかった場合にも、課金の取り消しを示す電子メールを設置端末管理手段８２から携帯回線キャリア８６に送信することによって、課金のキャンセルも容易に実施することが可能である。
【００４６】
携帯端末１２の処理プログラムのＳ１２２では、携帯端末１２の表示手段４６には前述の図３に示すような表示がなされており、携帯端末１２の不揮発性メモリ６８に記録されている複数の画像の中から、送信する画像を利用者が容易に選択することが可能となっている。Ｓ１２２で送信する画像が確定すると、処理プログラムは次のＳ１２４「画像データ送信」に進む。
【００４７】
次のＳ１２４では、Ｓ１２２で選択した画像データを設置端末１０に送信する処理を行う。該画像データの送信が終了すると、次のＳ１２６「他に送信する画像あり？」の判断に進み、他にも送信する画像があるか否かの判断を行う。もし、利用者が他にも送信する画像が存在すると判断した場合にはＳ１２２に戻って再び送信する画像を選択する。また、もし送信すべき画像が無いと判断した場合には、Ｓ１２８「切断要求パケット送出」に進み、設置端末１０に対して切断要求のパケットを送信する。
【００４８】
Ｓ１２８にて切断要求パケットの送信が完了すると、携帯端末１２の処理プログラムはＳ１３０「無線通信Ｉ／Ｆ切断」に進み、近距離の無線通信に関する各種の処理を終了して、次のＳ１３２「操作終了」に進み、近距離無線通信の処理ルーチンを終了する。
【００４９】
なお、設置端末１０の処理プログラムのＳ２２２では、携帯端末１２から「データパケット」又は「切断要求パケット」の受信を待つ処理を行っている。もし、携帯端末１２から「データパケット」を受信した場合にはＳ２２４「画像データ受信＆一時保存」に進み、タッチパネル１８に図１２に示す表示を行うとともに携帯端末１２から画像データ等の情報を受信して、例えば設置端末１０の記録手段３４に一時記録する。そして、Ｓ２２２に再び戻る。なお、図１３に示されるように、注文毎にユニークな「利用番号」を表示して、利用者に本注文を対応付けて通知するようにしてもよい。
【００５０】
もし、携帯端末１２から「切断要求パケット」を受信した場合には、次のＳ２２６「無線通信Ｉ／Ｆ切断」に進み、近距離の無線通信に関する各種の処理を終了して、図１３に示す表示を一定時間タッチパネル１８に表示する。そして、次のＳ２２８「通信回線の画像データ送り先に画像データ送信」に進む。なお、図１３に示す表示を行って一定時間経過すると、タッチパネル１８の表示は図７に示す表示に切り替わる。ここまでで利用者及び携帯端末１２が、設置端末１０に対して実施する処理は終了して、以降は設置端末１０より後段の処理に移る。
【００５１】
Ｓ２２８では、設置端末１０は、前記Ｓ２２４で携帯端末１２から受信して設置端末１０の記録手段３４に一時記録されている画像データ及び、その画像データの送信先のアドレス情報を、通信回線２０を介して設置端末管理手段８２に送信する処理を行う。この送信処理は、Ｓ２２４における画像データの受信処理の開始とともに実行するようにしてもよい。そして、全ての送信すべきデータの送信が終了すると、次のＳ２３０「携帯端末のメールアドレスに送信完了通知メール送信」に進む。なお、この送信処理を特に利用者が急がない場合には、公衆回線の利用料金が安価な時間帯（夜間など）に実施するようにしてもよい。
【００５２】
Ｓ２３０では、携帯端末１２のメールアドレスに対して、送信を依頼された画像データの送信が完了したことを示す送信完了通知を、電子メールの形式にて通信回線２０を介して送信する。該送信完了通知の電信メールは、設置端末管理手段８２と、インターネット８４とを介して携帯回線キャリア８６のユーザー管理情報としてサーバ等の記録手段に記録される。
【００５３】
該携帯回線キャリア８６に記録されている送信完了通知の電子メールは、携帯端末１２の電源が投入されているときや、無線通信の状態が良好な場合に基地局８８を介して携帯端末１２に送信される。利用者は届いた送信完了通知の電子メールを閲覧して、注文した画像データの送信が無事に終了したことを知ることができる。また、送信完了通知の電子メールを送信する代わりに、音声で送信完了を通知するようにしてもよい。
【００５４】
また、画像データの送信元である利用者側の第２の通信機器と、画像データを送信した結果を通知する通知先である第１の通信機器とは、お互いに異なる通信機器であってもよいし、同一の通信機器（前記携帯端末１２等）であってもよい。また、画像データの送信結果を通知する通知先（利用者側の第１の通信機器）の電話番号等のアドレス情報を、前述の説明のように情報処理手段２２が自動で利用者側の第２の通信機器から取得するようにしてもよいし、記録媒体を介して情報を取得する場合には装着された記録媒体から取得するようにしてもよい。
【００５５】
また、万が一画像データが利用者所望の送信先に送信できなかった場合には、画像データ送信失敗に関する情報が記載された電子メールを携帯端末１２に送信して利用者に通知する。なお、その場合に「ご注文の画像は送信されませんでした。同じ受付番号で再び画像データの送信を無料で行うことが可能です。」等の電子メールを利用者の携帯端末１２に送信するようにしてもよい。
【００５６】
また、携帯端末１２から他の通信機器に送信する情報は上記の説明の画像データに限定されるものではなく、文字情報等のデータであってもよい。また、設置端末１０は上記に説明した形態のものに限定されるものではなく、公衆電話や店頭販売機の形態の通信端末装置であっても本発明の目的を達成することが可能である。
【００５７】
【発明の効果】
以上説明したように本発明に係る通信端末装置によれば、利用者側が所有する情報を取り込む情報取得手段と、情報取得手段にて取得した情報を記録する記録手段と、記録手段に記録した情報を読み出して利用者所望の送信先に前記情報を送信する第１の通信手段と、第１の通信手段が前記情報を送信した結果の情報を利用者側の第１の通信機器に送信する第２の通信手段とを備えたので、送信すべき情報が確実に送信されたか否かを利用者に通知することが可能となる。
【図面の簡単な説明】
【図１】本発明に係る設置端末の外観図
【図２】設置端末の情報処理系のブロック図
【図３】携帯端末の外観図
【図４】携帯端末の情報処理部のブロック図
【図５】設置端末と携帯端末とを含む各通信回線網の構成を示す図
【図６】設置端末と携帯端末とが実施する通信を示したフローチャート
【図７】設置端末のタッチパネルに表示される料金投入要求に関する表示例
【図８】設置端末のタッチパネルに表示されるＰＩＮコードの表示例
【図９】設置端末のタッチパネルに表示される接続完了に関する表示例
【図１０】設置端末のタッチパネルに表示される送信先の入力要求に関する表示例
【図１１】設置端末のタッチパネルに表示される送信情報の入力要求に関する表示例
【図１２】設置端末のタッチパネルに表示される送信情報の受信中に関する表示例
【図１３】設置端末のタッチパネルに表示される入力完了に関する表示例
【符号の説明】
１０…設置端末、１２…携帯端末、１４…アンテナ、１６…料金挿入口、１８…タッチパネル、２０…通信回線、２２…情報処理手段、３４…記録手段、３６…無線インターフェース、３８…通信回線インターフェース、４２、４４…アンテナ、４５…画像、４６…表示手段、４８…入力手段、５６、５８…送受信手段、６４…情報処理手段、６８…不揮発性メモリ、８０…通信回線、８２…設置端末管理手段、８４…インターネット、８６…携帯回線キャリア、８８…基地局
【図１】
0004088857.tif 000002
【図２】
0004088857.tif 000003
【図３】
0004088857.tif 000004
【図４】
0004088857.tif 000005
【図５】
0004088857.tif 000006
【図６】
0004088857.tif 000007
【図７】
0004088857.tif 000008
【図８】
0004088857.tif 000009
【図９】
0004088857.tif 000010
【図１０】
0004088857.tif 000011
【図１１】
0004088857.tif 000012
【図１２】
0004088857.tif 000013
【図１３】
0004088857.tif 000014